(57)【要約】【課題】環状にＬＥＤを有する照明器具で、床面等を均一に照明できる照明器具を提供する。【解決手段】環状に配設されたＬＥＤ３１の照射方向前方に設けるＬＥＤレンズ３２を、楕円または長円形状の断面形状としたので、ＬＥＤレンズ３２を通過した光は長軸ＬＡ方向の光がより遠くに強い光を照射できる。そして、ＬＥＤレンズ３２の長軸ＬＡが環状の中央部３６に向くように配設したので、環状の中央部側および外側に広く照射されることになる。このため、環状の中央部３６を明るくして、床面１２等の照射面の明るさを均一にできる。【選択図】図１
2012004035.tif 000002
【特許請求の範囲】
【請求項１】
環状に配設される複数のＬＥＤと、
前記ＬＥＤの照射側に配設されるＬＥＤレンズと、を備え、
前記ＬＥＤレンズは楕円または長円形状の断面を有し、
前記ＬＥＤレンズの長軸を前記環状の中央部に向けた照明器具。
【請求項２】
請求項１に記載の照明器具において、
前記ＬＥＤレンズは、前記ＬＥＤに対向する面に凹面を有する照明器具。
【請求項３】
請求項１または請求項２に記載の照明器具において、
前記ＬＥＤは、前記環状に沿って等間隔に配置されている照明器具。
【発明の詳細な説明】
【技術分野】
【０００１】
本発明は、ＬＥＤを環状に配設した照明器具に関するものである。
【背景技術】
【０００２】
従来より、光源であるＬＥＤを環状に配設した照明器具が知られている（例えば、特許文献１参照）。
図９に示すように、特許文献１に記載の照明器具１００は顕微鏡に取り付けて使用されるものであり、全体が環状のケース体１０７を有し、中央に開口部１０４を有する。光源であるＬＥＤ１０１は、ケース体１０７に収容されている環状の基板（図示省略）の上（図９の紙面において上）に環状に配設されており、各ＬＥＤ１０１は赤色ＬＥＤ、緑色ＬＥＤおよび青色ＬＥＤから構成されている。
【０００３】
各ＬＥＤ１０１の照射方向前方（図９の紙面において上）には、複数のレンズ１０２が環状に配設され全体環状をしたレンズ集合体１０３が設けられており、各レンズ１０２は、各ＬＥＤ１０１の照射方向前方に位置決めされている。
【先行技術文献】
【特許文献】
【０００４】
【特許文献１】特開２００６−５８４０９号公報（第１図）
【発明の概要】
【発明が解決しようとする課題】
【０００５】
しかしながら、前述したような従来の照明器具１００を天井に取り付けて、部屋等の照明器具として用いる場合には、図１０に示すように、ＬＥＤは指向性が強いため各ＬＥＤ１０１から照射された円形の照射光１０５が環状に照射される。
このため、照明器具１００の前面に、乳白色やプリズム等のパネルや反射鏡を配設して、光を拡散させて床面等を照明することが行われているが、それでもなお照明器具１００の中央に対向する位置（中央部１０６）が暗くなり、明るさにムラができるという問題があった。
【０００６】
本発明は、従来の問題を解決するためになされたもので、環状にＬＥＤを有する照明器具で、床面等の照射面を均一に照明できる照明器具を提供することを目的とする。
【課題を解決するための手段】
【０００７】
本発明の照明器具は、環状に配設される複数のＬＥＤと、ＬＥＤの照射側に配設されるＬＥＤレンズと、を備え、ＬＥＤレンズは楕円または長円形状の断面を有し、ＬＥＤレンズの長軸を環状の中央部に向けたものである。
【０００８】
また、本発明の照明器具では、ＬＥＤレンズは、ＬＥＤに対向する面に凹面を有するものである。
【０００９】
さらに、本発明の照明器具では、ＬＥＤは、環状に沿って等間隔に配置されたものである。
【発明の効果】
【００１０】
本発明は、ＬＥＤレンズの断面形状を楕円または長円形状として、ＬＥＤレンズの長軸が環状の中央部に向くように配設したので、環状の中央部側および外側に広く照射されることになり、環状の中央部を明るくして、照射面の明るさを均一にできるという効果を有する照明器具を提供できる。
【図面の簡単な説明】
【００１１】
【図１】（Ａ）は本発明に係る第１実施形態の照明器具の側面図であり、（Ｂ）は第１実施形態の照明器具を下方から見た正面図
【図２】器具本体の要部断面図
【図３】（Ａ）はＬＥＤユニットの断面図であり、（Ｂ）はＬＥＤユニットを下方から見た正面図
【図４】ＬＥＤレンズの形状を示す断面図
【図５】ＬＥＤユニットの配置を示す要部平面図
【図６】（Ａ）は照明器具の側面図であり、（Ｂ）は床面に照射された照明光の配置を示す平面図
【図７】本発明に係る第２実施形態の照明器具におけるＬＥＤレンズの取り付け方向を示す図５相当の要部平面図
【図８】（Ａ）は第２実施形態の照明器具の側面図であり、（Ｂ）は床面に照射された照明光の配置を示す平面図
【図９】ＬＥＤを環状に配設した従来の照明器具の正面図
【図１０】従来の照明器具における問題点の説明図
【発明を実施するための形態】
【００１２】
（第１実施形態）
以下、本発明に係る第１実施形態の照明器具について、図面を用いて説明する。
図１に示すように、本発明に係る第１実施形態の照明器具１０は、例えば天井１１から吊り下げて、下方の床面１２（図６参照）等の照射面を照明するのに用いることができる。照明器具１０は、天井１１に取り付けられている吊り金具１３から、紐やチェーン等の複数（少なくとも３本）の吊り具１４によって、器具本体２０が水平となるように吊り下げている。
【００１３】
図２を併せて参照するに、器具本体２０は全体円形環状であって、下方が開口（開口部２１１）した断面コ字状の支持部材２１を有し、支持部材２１の開口部２１１には円形環状の基板２２が取り付けられる。あるいは、複数の基板２２を、支持部材２１に環状に取り付けてもよい。基板２２の下面には、複数のＬＥＤユニット３０が等間隔で環状に配設されている。
【００１４】
図３に示すように、ＬＥＤユニット３０は、光源であるＬＥＤ３１と、ＬＥＤ３１の照射方向前方（図１（Ａ）において下方）に取り付けられるＬＥＤレンズ３２を有する。ＬＥＤレンズ３２は、全体楕円形状または長円形状をしており、長軸ＬＡおよび短軸ＳＡを有する。
なお、以下においては、ＬＥＤレンズ３２の形状が楕円形状の場合を例にとって説明することとする。また、長軸ＬＡと短軸ＳＡとの比は、適宜に決定することができる。
【００１５】
また、図４に示すように、ＬＥＤレンズ３２のＬＥＤ３１に対向する面３４には、凹面３３が形成されている。
従って、ＬＥＤ３１から発せられた光Ｂ１は、凹面３３に当たって外側へ屈折し（光Ｂ２）、ＬＥＤレンズ３２内部を透過してＬＥＤレンズ３２の外表面で屈折してさらに外側へ照射される（光Ｂ３）。なお、凹面３３も、長軸ＬＡ方向に長く、短軸ＳＡ方向に短い形状をしている（図３（Ｂ）参照）。
【００１６】
図１（Ｂ）および図５に示すように、ＬＥＤレンズ３２は、長軸ＬＡの延長が器具本体２０の中央部３６を通るように取り付け方向が設定されている。ここでは、器具本体２０の中心ＣＰを通過するように配設されている。なお、中央部３６とは、器具本体２０の中心点ＣＰ付近の範囲をいい、中心点ＣＰに限定するものではない。
また、ＬＥＤユニット３０は、隣接するＬＥＤユニット３０との距離を、中心角がθ°となるように等間隔で環状に設置している。すなわち，ＬＥＤユニット３０の数がＮ個の場合、θ＝３６０／Ｎ度となる。
【００１７】
図６（Ｂ）に示すように、ＬＥＤレンズ３２を通過したＬＥＤ３１からの光は、ＬＥＤレンズ３２の長軸ＬＡ方向に広く照射されるので、床面１２に照射される照射光３５は、ＬＥＤレンズ３２の長軸方向すなわち中心点ＣＰから放射状に長い楕円形状等となる。その結果、明るい範囲が中央部３６側に伸びる。
【００１８】
以上、説明した本発明に係る第１実施形態の照明器具１０によれば、環状に配設されたＬＥＤ３１の照射方向前方に設けるＬＥＤレンズ３２を、楕円または長円形状の断面形状としたので、ＬＥＤレンズ３２を通過した光は長軸ＬＡ方向の光がより遠くに強い光を照射できる。そして、ＬＥＤレンズ３２の長軸ＬＡが環状の中央部３６に向くように配設したので、環状の中央部側および外側に広く照射されることになる。このため、長軸ＬＡと短軸ＳＡとの比を適切に決定することにより、環状の中央部３６を明るくして、床面１２等の照射面の明るさを均一にできる。
【００１９】
また、ＬＥＤレンズ３２の、ＬＥＤ３１に対向する面に凹面３３を設けたので、凹レンズとしての光の屈折と、楕円または長円形状のレンズによる光の屈折により、より遠くまで光を照射することができる。
これにより、特に照明器具１０が大きくなって中心部３６の距離が大きくなった場合でも、ＬＥＤ３１直下の明るさと照明器具１０の中央部３６直下の明るさを均一にできる。
【００２０】
さらに、ＬＥＤ３１は、環状に沿って等間隔に配置されているので、環状に沿った明るさを均一にできる。
【００２１】
（第２実施形態）
次に、本発明に係る第２実施形態の照明器具について、図面を用いて説明する。なお、前述した第１実施形態にかかる照明器具１０と共通する部位には同じ符号を付して、重複する説明を省略することとする。
【００２２】
図７に示すように、本発明に係る第２実施形態の照明器具１０Ｂにおいては、ＬＥＤレンズ３２Ｂは、長軸ＬＡの延長が器具本体２０の中央部３６の円３６１に接するように取り付け方向が設定されている。
すなわち、長軸ＬＡは、中央部３６の範囲を示す円３６１の接線と一致する。なお、隣接するＬＥＤユニット３０Ｂの間隔は、図５において前述したように、中心ＣＰに対する中心角で設定できる。あるいは、環状に配置されたＬＥＤユニット３０Ｂの、円弧長で設定することもできる。
【００２３】
図８に示すように、ＬＥＤレンズ３２Ｂを通過したＬＥＤ３１からの光は、ＬＥＤレンズ３２Ｂの長軸ＬＡ方向に広く照射されるので、床面１２に照射される照射光３５Ｂは、ＬＥＤレンズ３２の長軸方向すなわち中央部３６を示す円３６１の接線方向に長い楕円形状となる。その結果、明るい範囲が中央部３６側に伸びる。
【００２４】
以上、説明した本発明に係る第２実施形態の照明器具１０Ｂによれば、前述した第１実施形態の照明器具１０と同様の作用効果を得ることができる。
【００２５】
なお、本発明の照明器具は、前述した各実施形態に限定されるものでなく、適宜な変形，改良等が可能である。
例えば、前述した各実施形態において、ＬＥＤユニット３０を円形の環状に配設した場合を例示したが、本発明は、基板２２の形状を変えることにより、その他の環状、例えば楕円形等の環状にも適用可能である。この場合、例えばＬＥＤユニット３０の間隔を調整することにより、前述したようなＬＥＤレンズ３２を用いて、床面１２等の照射面の明るさを均一にでき、コストダウンを図れる。
また、器具本体２０を天井１１から吊り下げて使用する場合について説明したが、器具本体２０を天井１１に直付けする場合にも適用できる。
【符号の説明】
【００２６】
１０、１０Ｂ  照明器具
３１  ＬＥＤ
３２、３２Ｂ  ＬＥＤレンズ
３３  凹面
３４  対向する面
３６  中央部
ＬＡ  長軸
【図１】
2012004035.tif 000003
【図２】
2012004035.tif 000004
【図３】
2012004035.tif 000005
【図４】
2012004035.tif 000006
【図５】
2012004035.tif 000007
【図６】
2012004035.tif 000008
【図７】
2012004035.tif 000009
【図８】
2012004035.tif 000010
【図９】
2012004035.tif 000011
【図１０】
2012004035.tif 000012